(57)【要約】  装置の第１および第２のパーツを接続するためのコネクターであって、コネクターは、内側領域であって、内側領域は、その第１の側に第１のアンカー・ポイントを含み、第１のアンカー・ポイントは、装置の第１のパーツにコネクターを接続するように構成されている、内側領域と、内側領域の縁部から外向きに延在している２つ以上のアームであって、アームは、変形可能な材料から形成されており、装置の第２のパーツにコネクターを接続するように構成されている、２つ以上のアームとを含み、内側領域は、その第２の側に、第１の側の反対側に、スライド表面をさらに含み、スライド表面は、内側領域と装置の第２のパーツの対向する表面との間に低摩擦インターフェースを提供するように構成されている、コネクター。
2021514431.tif 000002
【特許請求の範囲】
【請求項１】
装置の第１および第２のパーツを接続するためのコネクターであって、前記コネクターは、
内側領域であって、前記内側領域は、その第１の側に第１のアンカー・ポイントを含み、前記第１のアンカー・ポイントは、前記装置の前記第１のパーツに前記コネクターを接続するように構成されている、内側領域と、
前記内側領域の縁部から延在している２つ以上のアームであって、前記アームは、変形可能な材料から形成されており、前記装置の前記第２のパーツに前記コネクターを接続するように構成されている、２つ以上のアームと
を含み、
前記内側領域は、その第２の側に、前記第１の側の反対側に、スライド表面をさらに含み、前記スライド表面は、前記内側領域と前記装置の前記第２のパーツの対向する表面との間に低摩擦インターフェースを提供するように構成されている、コネクター。
【請求項２】
前記アームは、前記内側領域の相互に反対側から延在している、請求項１に記載のコネクター。
【請求項３】
それぞれのアームは、前記内側領域の前記スライド表面に対して実質的に平行の方向に延在している、請求項１または２に記載のコネクター。
【請求項４】
それぞれのアームは、前記アームを前記装置の前記第２のパーツに接続するための第２のアンカー・ポイントをさらに含む、請求項３に記載のコネクター。
【請求項５】
それぞれのアームは、前記第１のアンカー・ポイントから離れるように延在しており、他のアームと接合し、前記第１のアンカー・ポイントに対して前記内側領域の反対側に閉じたループを形成しており、前記閉じたループは、前記装置の前記第２のパーツの一部分の周りにループするように構成されている、請求項１または２に記載のコネクター。
【請求項６】
前記アームは、第２のアンカー・ポイントを含み、前記第２のアンカー・ポイントは、前記内側領域の反対側において前記内側領域に面して配置されており、前記スライド・インターフェースを形成する表面の反対側において、前記第２のパーツの表面に接続するように構成されている、請求項４に記載のコネクター。
【請求項７】
前記アームは、前記装置の前記第２のパーツの一部分の周りにループするように構成されており、前記アームを前記装置の前記第２のパーツに接続するためのさらなるアンカー・ポイントなしに、前記コネクターを前記第２のパーツの一部分に接続する、請求項４に記載のコネクター。
【請求項８】
前記内側領域は、前記アームと一体的に形成された変形可能な材料の一部分と、前記変形可能な材料と比較して相対的に硬い材料のプレートとを含む、請求項１から７のいずれか一項に記載のコネクター。
【請求項９】
前記内側領域の前記変形可能な材料は、前記プレートの一方の側面を少なくとも部分的にカバーしている、請求項８に記載のコネクター。
【請求項１０】
前記内側領域の前記変形可能な材料は、前記プレートの２つの対向する側面を少なくとも部分的にカバーしている、請求項８に記載のコネクター。
【請求項１１】
前記内側領域は、前記変形可能な材料と比較して相対的に硬い材料のプレートを含み、前記プレートは、前記アームに接続されている、請求項１から７のいずれか一項に記載のコネクター。
【請求項１２】
前記プレートは、前記内側領域の縁部から延在する突出部を含み、前記プレートは、前記突出部を介して前記アームに接続されている、請求項１１に記載のコネクター。
【請求項１３】
前記アームの前記変形可能な材料は、前記突出部の一方の側面を少なくとも部分的にカバーしている、請求項１２に記載のコネクター。
【請求項１４】
前記アームの前記変形可能な材料は、前記突出部の２つの対向する側面を少なくとも部分的にカバーしている、請求項１２に記載のコネクター。
【請求項１５】
前記プレートは、接着剤によって前記変形可能な材料に固定されている、請求項８から１４のいずれか一項に記載のコネクター。
【請求項１６】
前記プレートは、前記変形可能な材料とともにコ−モールドされている、請求項８から１４のいずれか一項に記載のコネクター。
【請求項１７】
前記プレートは、前記変形可能な材料に固定されていない、請求項８から１４のいずれか一項に記載のコネクター。
【請求項１８】
前記第１のアンカー・ポイントは、前記プレートに直接的に接続されている、請求項８から１７のいずれか一項１に記載のコネクター。
【請求項１９】
前記変形可能な材料は、実質的に弾性的に変形可能である、請求項１から１８のいずれか一項に記載のコネクター。
【請求項２０】
前記変形可能な材料は、伸縮性のあるファブリック、布もしくはテキスタイル、またはエラストマー材料を含む、請求項１から１９のいずれか一項に記載のコネクター。
【請求項２１】
前記変形可能な材料は、シリコーンエラストマーである、請求項１から２０のいずれか一項に記載のコネクター。
【請求項２２】
前記変形可能な材料のアームは、第１の位置に向けて前記内側領域を付勢するように構成されており、前記低摩擦インターフェースに沿ってスライドすることによって、前記内側領域が前記第１の位置から離れるように変位させられるときに、前記変形可能な材料のアームが前記内側領域を前記第１の位置へ戻るように促すようになっている、請求項１から２１のいずれか一項に記載のコネクター。
【請求項２３】
前記低摩擦インターフェースは、前記対向する表面のうちの少なくとも１つを形成するエレメントの構築のために少なくとも１つの低摩擦材料を使用すること、前記対向する表面のうちの少なくとも１つに低摩擦コーティングを適用すること、前記対向する表面のうちの少なくとも１つに潤滑剤を適用すること、および、少なくとも１つの低摩擦表面を有する前記対向する表面の間に、固定されていない追加的な材料の層を提供することのうちの少なくとも１つによって実装される、請求項１から２２のいずれか一項に記載のコネクター。
【請求項２４】
前記少なくとも１つの第２のアンカー・ポイントは、前記装置の前記第１のパーツに取り外し可能に接続されるように構成されている、請求項４または６に記載のコネクター。
【請求項２５】
前記少なくとも１つの第２のアンカー・ポイントは、面ファスナー接続、スナップ・フィット接続、および磁気的な接続のうちの少なくとも１つによって、取り外し可能に接続されるように構成されている、請求項２４に記載のコネクター。
【請求項２６】
前記少なくとも１つの第２のアンカー・ポイントは、前記装置の前記第１のパーツに解除不可能に接続されるように構成されている、請求項４または６に記載のコネクター。
【請求項２７】
前記少なくとも１つの第２のアンカー・ポイントは、接着剤、刺繍、または高周波溶接によって接続されるように構成されている、請求項２６に記載のコネクター。
【請求項２８】
前記第１のアンカー・ポイントは、前記装置の前記第１のパーツに取り外し可能に接続されるように構成されている、請求項１から２７のいずれか一項に記載のコネクター。
【請求項２９】
前記第１のアンカー・ポイントは、面ファスナー接続、スナップ・フィット接続、および磁気的な接続のうちの少なくとも１つによって、取り外し可能に接続されるように構成されている、請求項２８に記載のコネクター。
【請求項３０】
前記第１のアンカー・ポイントは、前記装置の前記第１のパーツに解除不可能に接続されるように構成されている、請求項１から２７のいずれか一項に記載のコネクター。
【請求項３１】
前記第１のアンカー・ポイントは、接着剤、刺繍、または高周波溶接によって接続されるように構成されている、請求項３０に記載のコネクター。
【請求項３２】
前記コネクターは、前記内側領域の前記縁部から外向きに延在する１つまたは複数のさらなるアームをさらに含み、前記アームは、前記変形可能な材料から形成されており、前記コネクターを前記装置の前記第２のパーツに接続するように構成されている、請求項１から３１のいずれか一項に記載のコネクター。
【請求項３３】
ヘルメットのためのライナーであって、前記ライナーは、前記ライナーに接続されている請求項１から３２のいずれか一項に記載の少なくとも１つのコネクターを含む、ヘルメットのためのライナー。
【請求項３４】
前記少なくとも１つのコネクターの前記第１のアンカー・ポイントは、前記ヘルメットに接続されるように構成されている、請求項３３に記載のヘルメットのためのライナー。
【請求項３５】
前記ライナーは、コンフォート・パッディングを含み、また、随意的に、前記コンフォート・パッディングと比較して相対的に硬質の材料の層を含み、前記硬質の材料は、前記コンフォート・パッディングよりも外向きに提供されている、請求項３３または３４に記載のヘルメットのためのライナー。
【請求項３６】
請求項３３または３４に記載のライナーを含むヘルメット。
【請求項３７】
前記ライナーは、前記ヘルメットから除去可能になっている、請求項３４に記載のヘルメット。
【請求項３８】
前記少なくとも１つのコネクターの前記第１のアンカー・ポイントは、前記ヘルメットの比較的に硬質の外側シェル、前記ヘルメットの中の材料のエネルギー吸収層、および、前記ヘルメットのエネルギー吸収材料よりも内向きに前記ヘルメットの中に提供された材料の比較的に硬質の層のうちの少なくとも１つに接続されている、請求項３６または３７に記載のヘルメット。
【請求項３９】
前記ヘルメットは、比較的に硬質の材料から形成された外側シェルと、エネルギー吸収材料の１つまたは複数の層と、比較的に硬質の材料から形成された内側シェルと、前記ライナーとを順に含む、請求項３６から３８のいずれか一項に記載のヘルメット。
【請求項４０】
低摩擦インターフェースは、前記エネルギー吸収材料と前記内側シェルとの間に提供されている、請求項３９に記載のヘルメット。
【請求項４１】
前記低摩擦インターフェースは、前記内側シェルおよび前記エネルギー吸収材料の構築のために少なくとも１つの低摩擦材料を使用すること、前記内側シェルおよび前記エネルギー吸収材料の前記対向する表面のうちの少なくとも１つに低摩擦コーティングを適用すること、ならびに、前記内側シェルおよび前記エネルギー吸収材料の前記対向する表面のうちの少なくとも１つに潤滑剤を適用することのうちの少なくとも１つによって実装される、請求項４０に記載のヘルメット。
【請求項４２】
前記第１の第２のアンカー・ポイントは、面ファスナー接続によって前記ヘルメットに取り付けられている、請求項３６から４１のいずれか一項に記載のヘルメット。
【請求項４３】
請求項１から３２のいずれか一項に記載の少なくとも１つのコネクターによって前記ヘルメットにそれぞれ装着されている、コンフォート・パッディングの複数の独立したセクションを含むヘルメット。
【請求項４４】
前記ヘルメットは、比較的に硬質の材料から形成された外側シェルと、エネルギー吸収材料の１つまたは複数の層と、比較的に硬質の材料の複数のセクションから形成された内側シェルと、前記複数のセクションのコンフォート・パッディングとを順に含む、請求項４３に記載のヘルメット。
【請求項４５】
低摩擦インターフェースは、前記複数のセクションの内側シェルと前記エネルギー吸収材料との間に提供されている、請求項４４に記載のヘルメット。
【請求項４６】
前記低摩擦インターフェースは、前記複数のセクションの内側シェルおよび前記エネルギー吸収材料の構築のために少なくとも１つの低摩擦材料を使用すること、前記複数のセクションの内側シェルおよび前記エネルギー吸収材料の前記対向する表面のうちの少なくとも１つに低摩擦コーティングを適用すること、ならびに、前記複数のセクションの内側シェルおよび前記エネルギー吸収材料の前記対向する表面のうちの少なくとも１つに潤滑剤を適用することのうちの少なくとも１つによって実装される、請求項４５に記載のヘルメット。
【請求項４７】
前記第１のアンカー・ポイントは、面ファスナー接続によって前記ヘルメットに取り付けられている、請求項４３から４６のいずれか一項に記載のヘルメット。
【請求項４８】
ヘルメットの中で使用するための複数のセクションのコンフォート・パッディングのセットであって、コンフォート・パッディングの少なくとも１つのセクションは、請求項１から３２のいずれか一項に記載の少なくとも１つのコネクターを含む、セット。
【請求項４９】
コンフォート・パッディングの少なくとも１つのセクションは、少なくとも１つの異なるタイプのコネクターを含む、請求項４８に記載の複数のセクションのコンフォート・パッディングのセット。
【請求項５０】
ヘルメットであって、前記ヘルメットは、
比較的に硬質の材料から形成された外側シェルと、
エネルギー吸収材料の１つまたは複数の層と、
ライナーまたは複数のセクションのコンフォート・パッディングと、
前記ライナーまたはコンフォート・パッディングのセクションを前記ヘルメットの残部に接続する、請求項１から３２のいずれか一項に記載の少なくとも１つのコネクターと
を順に含み、
比較的に硬質のコーティングが、前記ライナーまたは複数のセクションのコンフォート・パッディングの外側表面に結合されており、前記比較的に硬質のコーティングと前記エネルギー吸収層との間に低摩擦インターフェースを形成している、ヘルメット。
【発明の詳細な説明】
【技術分野】
【０００１】
本発明は、コネクターに関し、コネクターは、たとえば、ライナーまたはコンフォート・パッディングをヘルメットの残りの部分に接続するために、装置の２つのパーツを接続するために使用され得る。
【０００２】
ヘルメットは、さまざまな活動において使用するものとして知られている。これらの活動は、戦闘目的および産業目的を含み、たとえば、兵士のための保護ヘルメット、および、たとえば、建築業者、鉱山労働者、または、産業用マシンのオペレーターによって使用される安全帽またはヘルメットなどを含む。また、ヘルメットは、スポーツ活動にも普及している。たとえば、保護ヘルメットは、アイスホッケー、サイクリング、モーター・サイクリング、モーター・カー・レーシング、スキー、スノーボード、スケート、スケートボード、馬術、アメリカンフットボール、ベースボール、ラグビー、クリケット、ラクロス、登山、ゴルフ、エアソフト、およびペイントボールにおいて使用され得る。
【０００３】
ヘルメットは、固定されたサイズのものであることが可能であり、または、頭部の異なるサイズおよび形状にフィットするように調節可能であり得る。いくつかのタイプのヘルメットでは、たとえば、一般に、アイスホッケー・ヘルメットでは、ヘルメットの外側寸法および内側寸法を変化させるためにヘルメットのパーツを移動させることによって、調節可能性が提供され得る。これは、互いに対して移動することができる２つ以上のパーツを備えたヘルメットを有することによって実現され得る。他のケースでは、たとえば、一般に、サイクリング・ヘルメットでは、ヘルメットは、ヘルメットをユーザーの頭部に固定するための取り付けデバイスを設けられており、取り付けデバイスは、ヘルメットの主本体部またはシェルが同じサイズのままである状態で、ユーザーの頭部にフィットするように寸法が変化することが可能である。いくつかのケースでは、ヘルメットの中のコンフォート・パッディングは、取り付けデバイスとして作用することが可能である。また、取り付けデバイスは、複数の物理的に別個のパーツの形態で、たとえば、互いに相互接続されていない複数のコンフォート・パッドの形態で提供され得る。ユーザーの頭部の上にヘルメットを着座させるためのそのような取り付けデバイスは、ヘルメットを適切な場所にさらに固定するために、追加的なストラップ（たとえば、顎ストラップなど）とともに使用され得る。また、これらの調節メカニズムの組み合わせも可能である。
【０００４】
ヘルメットは、多くの場合、外側シェル（それは、通常、硬質であり、プラスチックまたは複合材料から作製されている）と、ライナーと呼ばれるエネルギー吸収層とから作製されている。最近では、保護ヘルメットは、特定の法的要件を満たすように設計されなければならず、特定の法的要件は、とりわけ、特定の荷重において脳の重心に発生し得る最大加速度に関するものである。典型的に、テストが実施され、テストにおいて、ヘルメットを装備しているダミー頭蓋骨として知られているものが、頭部に向けて半径方向の打撃を受ける。これは、頭蓋骨に対して半径方向への打撃のケースにおいて、良好なエネルギー吸収能力を有する現代のヘルメットを結果として生じさせる。また、回転エネルギーを吸収するかもしくは消散させることによって、および／または、回転エネルギーというよりもむしろ並進エネルギーへと方向付けし直すことによって、斜めの打撃（すなわち、それは、接線方向の成分および半径方向の成分の両方を組み合わせている）から伝達されるエネルギーを減じるためのヘルメットを開発することが進められてきた（たとえば、ＷＯ２００１／０４５５２６およびＷＯ２０１１／１３９２２４（それらは、両方ともその全体が参照により本明細書に組み込まれている））。
【０００５】
（保護がない状態での）そのような斜めの衝撃は、脳の並進加速度および角加速度の両方を結果として生じさせる。角加速度は、脳が頭蓋骨の中で回転することを引き起こし、脳を頭蓋骨に接続している身体の要素に、また、脳自身に傷害を発生させる。
【０００６】
回転傷害の例は、軽度の外傷性脳損傷（ＭＴＢＩ）、たとえば、脳震とうなど、および、重度の外傷性脳損傷（ＳＴＢＩ）、たとえば、硬膜下血腫（ＳＤＨ）など、血管破裂の結果としての出血、およびびまん性軸索損傷（ＤＡＩ）を含み、それは、脳組織の中の高い剪断変形の結果として神経線維が引き伸ばされ過ぎるものとして要約され得る。
【０００７】
持続期間、振幅、および増加レートなどのような、回転力の特質に応じて、脳震とう、ＳＤＨ、ＤＡＩ、または、これらの傷害の組み合わせのいずれかを負う可能性がある。一般的に言えば、ＳＤＨは、短い持続期間および大きい振幅の加速度のケースにおいて起こり、一方、ＤＡＩは、より長くより広範囲の加速度荷重のケースにおいて起こる。
【０００８】
斜めの衝撃によって引き起こされる脳に伝達される回転エネルギーを低減させることができる、ＷＯ２００１／０４５５２６およびＷＯ２０１１／１３９２２４に開示されているものなどのようなヘルメットにおいて、ヘルメットの第１および第２のパーツは、斜めの衝撃に続いて互いに対してスライドするように構成され得る。しかし、通常使用の間に、すなわち、衝撃を受けていないときに、ヘルメットがその完全性を保つように、第１のパーツおよび第２のパーツが接続されているということが依然として望ましい。したがって、ヘルメットの第１のパーツおよび第２のパーツを一緒に接続しながら、衝撃下において第２のパーツに対する第１のパーツの移動を許容するコネクターを提供することが望ましい。また、製造コストおよび／または労力を実質的に増加させることなく提供され得るヘルメットの中のコネクターを提供することが望ましい。
【０００９】
ＷＯ２０１７／１５７７６５におけるコネクターは、上記に述べられている問題のうちのいくつかに対処している。しかし、それらは、製造するのに比較的に厄介で時間のかかるものである可能性がある。本発明は、衝撃下における相対的な移動を許容する、製造するのが容易なコネクターを提供することによって、少なくとも部分的にこの問題に対処することを目標とする。
【発明の概要】
【００１０】
本発明の態様によれば、装置の第１および第２のパーツを接続するためのコネクターであって、コネクターは、内側領域であって、内側領域は、その第１の側に第１のアンカー・ポイントを含み、第１のアンカー・ポイントは、装置の第１のパーツにコネクターを接続するように構成されている、内側領域と、内側領域の縁部から外向きに延在している２つ以上のアームであって、アームは、変形可能な材料から形成されており、装置の第２のパーツにコネクターを接続するように構成されている、２つ以上のアームとを含み、内側領域は、その第２の側に、第１の側の反対側に、スライド表面をさらに含み、スライド表面は、内側領域と装置の第２のパーツの対向する表面との間に低摩擦インターフェースを提供するように構成されている、コネクターが提供される。
【００１１】
随意的に、アームは、内側領域の相互に反対側から延在している。
【００１２】
いくつかの実施形態では、随意的に、それぞれのアームは、内側領域のスライド表面に対して実質的に平行の方向に延在している。随意的に、それぞれのアームは、アームを装置の第２のパーツに接続するための第２のアンカー・ポイントをさらに含む。
【００１３】
いくつかの実施形態では、随意的に、それぞれのアームは、第１のアンカー・ポイントから離れるように延在しており、他のアームと接合し、第１のアンカー・ポイントに対して内側領域の反対側に閉じたループを形成しており、閉じたループは、装置の第２のパーツの一部分の周りにループするように構成されている。
【００１４】
随意的に、アームは、第２のアンカー・ポイントを含み、第２のアンカー・ポイントは、内側領域の反対側において内側領域に面して配置されており、スライド・インターフェースを形成する表面の反対側において、第２のパーツの表面に接続するように構成されている。代替的に、アームは、装置の第２のパーツの一部分の周りにループするように随意的に構成されており、アームを装置の第２のパーツに接続するためのさらなるアンカー・ポイントなしに、コネクターを一部分に接続する。
【００１５】
いくつかの実施形態では、随意的に、内側領域は、アームと一体的に形成された変形可能な材料の一部分と、変形可能な材料と比較して相対的に硬い材料のプレートとを含む。随意的に、内側領域の変形可能な材料は、プレートの一方の側面を少なくとも部分的にカバーしている。代替的に、随意的に、内側領域の変形可能な材料は、プレートの２つの対向する側面を少なくとも部分的にカバーしている。
【００１６】
いくつかの実施形態では、随意的に、内側領域は、変形可能な材料と比較して相対的に硬い材料のプレートを含み、プレートは、アームに接続されている。随意的に、プレートは、内側領域の縁部から延在する突出部を含み、プレートは、突出部を介してアームに接続されている。随意的に、アームの変形可能な材料は、突出部の一方の側面を少なくとも部分的にカバーしている。代替的に、随意的に、アームの変形可能な材料は、突出部の２つの対向する側面を少なくとも部分的にカバーしている。
【００１７】
随意的に、プレートは、接着剤によって変形可能な材料に固定されている。代替的に、随意的に、プレートは、変形可能な材料とともにコ−モールドされている（ｃｏ−ｍｏｕｌｄｅｄ）。
【００１８】
随意的に、プレートは、変形可能な材料に固定されていない。
【００１９】
随意的に、第１のアンカー・ポイントは、プレートに直接的に接続されている。
【００２０】
本発明の態様によれば、先行する請求項のいずれか１つに記載のコネクターであって、変形可能な材料は、実質的に弾性的に変形可能である、コネクターが提供される。
【００２１】
本発明の態様によれば、変形可能な材料は、伸縮性のあるファブリック、布もしくはテキスタイル、またはエラストマー材料を含む、コネクターが提供される。
【００２２】
随意的に、変形可能な材料は、シリコーンエラストマーである。
【００２３】
本発明の態様によれば、コネクターであって、変形可能な材料のアームは、第１の位置に向けて内側領域を付勢するように構成されており、低摩擦インターフェースに沿ってスライドすることによって、内側領域が第１の位置から離れるように変位させられるときに、変形可能な材料のアームが内側領域を第１の位置へ戻るように促すようになっている、コネクターが提供される。
【００２４】
本発明の態様によれば、コネクターであって、低摩擦インターフェースは、対向する表面のうちの少なくとも１つを形成するエレメントの構築のために少なくとも１つの低摩擦材料を使用すること、対向する表面のうちの少なくとも１つに低摩擦コーティングを適用すること、対向する表面のうちの少なくとも１つに潤滑剤を適用すること、および、少なくとも１つの低摩擦表面を有する対向する表面の間に、固定されていない追加的な材料の層を提供することのうちの少なくとも１つによって実装される、コネクターが提供される。
【００２５】
随意的に、少なくとも１つの第２のアンカー・ポイントは、装置の第１のパーツに取り外し可能に接続されるように構成されている。
【００２６】
随意的に、少なくとも１つの第２のアンカー・ポイントは、面ファスナー接続、スナップ・フィット接続、および磁気的な接続のうちの少なくとも１つによって、取り外し可能に接続されるように構成されている。
【００２７】
随意的に、少なくとも１つの第２のアンカー・ポイントは、装置の第１のパーツに解除不可能に接続されるように構成されている。
【００２８】
随意的に、少なくとも１つの第２のアンカー・ポイントは、接着剤、刺繍、または高周波溶接によって接続されるように構成されている。
【００２９】
随意的に、第１のアンカー・ポイントは、装置の第１のパーツに取り外し可能に接続されるように構成されている。
【００３０】
随意的に、第１のアンカー・ポイントは、面ファスナー接続、スナップ・フィット接続、および磁気的な接続のうちの少なくとも１つによって、取り外し可能に接続されるように構成されている。
【００３１】
随意的に、第１のアンカー・ポイントは、装置の第１のパーツに解除不可能に接続されるように構成されている。随意的に、第１のアンカー・ポイントは、接着剤、刺繍、または高周波溶接によって接続されるように構成されている。
【００３２】
随意的に、コネクターは、内側領域の縁部から外向きに延在する１つまたは複数のさらなるアームをさらに含み、アームは、変形可能な材料から形成されており、コネクターを装置の第２のパーツに接続するように構成されている。
【００３３】
本発明の第２の態様によれば、先行する態様による少なくとも１つのコネクターを含む、ヘルメットのためのライナーが提供される。
【００３４】
随意的に、少なくとも１つのコネクターの第１のアンカー・ポイントは、ヘルメットに接続されるように構成されている。
【００３５】
随意的に、ライナーは、コンフォート・パッディングを含み、また、随意的に、コンフォート・パッディングと比較して相対的に硬質の材料の層を含み、硬質の材料は、コンフォート・パッディングよりも外向きに提供されている。
【００３６】
本発明の第３の態様によれば、本発明の第２の態様によるライナーを含むヘルメットが提供される。
【００３７】
随意的に、ライナーは、ヘルメットから除去可能になっている。
【００３８】
随意的に、少なくとも１つのコネクターの第１のアンカー・ポイントは、ヘルメットの比較的に硬質の外側シェル、ヘルメットの中の材料のエネルギー吸収層、および、ヘルメットのエネルギー吸収材料よりも内向きにヘルメットの中に提供された材料の比較的に硬質の層のうちの少なくとも１つに接続されている。
【００３９】
随意的に、ヘルメットは、比較的に硬質の材料から形成された外側シェルと、エネルギー吸収材料の１つまたは複数の層と、比較的に硬質の材料から形成された内側シェルと、ライナーとを順に含む。
【００４０】
随意的に、低摩擦インターフェースは、エネルギー吸収材料と内側シェルとの間に提供されている。
【００４１】
随意的に、低摩擦インターフェースは、内側シェルおよびエネルギー吸収材料の構築のために少なくとも１つの低摩擦材料を使用すること、内側シェルおよびエネルギー吸収材料の対向する表面のうちの少なくとも１つに低摩擦コーティングを適用すること、ならびに、内側シェルおよびエネルギー吸収材料の対向する表面のうちの少なくとも１つに潤滑剤を適用することのうちの少なくとも１つによって実装される。
【００４２】
随意的に、第１の第２のアンカー・ポイントは、面ファスナー接続によってヘルメットに取り付けられている。
【００４３】
本発明の第４の態様によれば、本発明の第１の態様による少なくとも１つのコネクターによってヘルメットにそれぞれ装着されている、コンフォート・パッディングの複数の独立したセクションを含むヘルメットが提供される。
【００４４】
随意的に、ヘルメットは、比較的に硬質の材料から形成された外側シェルと、エネルギー吸収材料の１つまたは複数の層と、比較的に硬質の材料の複数のセクションから形成された内側シェルと、複数のセクションのコンフォート・パッディングとを順に含む。
【００４５】
随意的に、低摩擦インターフェースは、複数のセクションの内側シェルとエネルギー吸収材料との間に提供されている。
【００４６】
随意的に、低摩擦インターフェースは、複数のセクションの内側シェルおよびエネルギー吸収材料の構築のために少なくとも１つの低摩擦材料を使用すること、複数のセクションの内側シェルおよびエネルギー吸収材料の対向する表面のうちの少なくとも１つに低摩擦コーティングを適用すること、ならびに、複数のセクションの内側シェルおよびエネルギー吸収材料の対向する表面のうちの少なくとも１つに潤滑剤を適用することのうちの少なくとも１つによって実装される。
【００４７】
随意的に、第１のアンカー・ポイントは、面ファスナー接続によってヘルメットに取り付けられている。
【００４８】
本発明の第５の態様によれば、ヘルメットの中で使用するための複数のセクションのコンフォート・パッディングのセットであって、コンフォート・パッディングの少なくとも１つのセクションは、少なくとも１つのコネクターを含む、セットが提供される。
【００４９】
随意的に、コンフォート・パッディングの少なくとも１つのセクションは、少なくとも１つの異なるタイプのコネクターを含む。
【００５０】
本発明の第６の態様によれば、ヘルメットであって、ヘルメットは、比較的に硬質の材料から形成された外側シェルと、エネルギー吸収材料の１つまたは複数の層と、ライナーまたは複数のセクションのコンフォート・パッディングと、ライナーまたはコンフォート・パッディングのセクションをヘルメットの残部に接続する、本発明の第１の態様による少なくとも１つのコネクターとを順に含み、比較的に硬質のコーティングが、ライナーまたは複数のセクションのコンフォート・パッディングの外側表面に結合されており、比較的に硬質のコーティングとエネルギー吸収層との間に低摩擦インターフェースを形成している、ヘルメットが提供される。
【００５１】
本発明は、添付の図を参照して、下記に詳細に説明されている。
【図面の簡単な説明】
【００５２】
【図１】斜めの衝撃に対する保護を提供するためのヘルメットを通る断面を示す図である。
【図２】図１のヘルメットの機能的な原理を示すダイアグラムである。
【図３Ａ】図１のヘルメットの構造の変形例を示す図である。
【図３Ｂ】図１のヘルメットの構造の変形例を示す図である。
【図３Ｃ】図１のヘルメットの構造の変形例を示す図である。
【図４】別の保護ヘルメットの概略図である。
【図５】図４のヘルメットの取り付けデバイスを接続する代替的な方式を示す図である。
【図６】本発明の実施形態によるヘルメットを断面で示す図である。
【図７】本発明の実施形態によるヘルメットを断面で示す図である。
【図８】本発明の別の実施形態によるヘルメットを断面で示す図である。
【図９】本発明の別の実施形態によるヘルメットを断面で示す図である。
【図１０】本発明の第１の実施形態によるコネクターの上部（平面）図である。
【図１１】図１０のこのコネクターの底部（平面）図である。
【図１２】図１０のコネクターの側断面図である。
【図１３】図１０のコネクターを含むコンフォート・パッディングを示す図である。
【図１４】本発明の第２の実施形態によるコネクターの上部（平面）図である。
【図１５】図１４のこのコネクターの底部（平面）図である。
【図１６】図１４のコネクターの側断面図である。
【図１７】図１４のコネクターを含むコンフォート・パッディングを示す図である。
【図１８】本発明の第３の実施形態によるコネクターの上部（平面）図である。
【図１９】図１８のこのコネクターの底部（平面）図である。
【図２０】図１８のコネクターの側断面図である。
【発明を実施するための形態】
【００５３】
図の中に示されているヘルメットの中のさまざまな層の厚さの割合は、明確化のために図面の中で誇張されており、当然のことながら、必要性および要求に応じて適合され得る。
【００５４】
図１は、斜めの衝撃に対する保護を提供するように意図された、ＷＯ０１／４５５２６に議論されている種類の第１のヘルメット１を示している。このタイプのヘルメットは、上記に議論されているヘルメットのタイプのいずれかであることが可能である。
【００５５】
保護ヘルメット１は、外側シェル２、および、外側シェル２の内側に配置されている内側シェル３によって構築されており、内側シェル３は、着用者の頭部との接触を意図している。
【００５６】
スライド層４またはスライド促進体が、外側シェル２と内側シェル３との間に配置されており、それは、外側シェル２と内側シェル３との間の変位を可能にする。とりわけ、下記に議論されているように、スライド層４またはスライド促進体は、衝撃の間の２つのパーツの間でスライドが起こることができるように構成され得る。たとえば、それは、ヘルメット１の着用者に関して生存可能であることが予期される、ヘルメット１に対する衝撃に関連付けられる力の下でのスライドを可能にするように構成され得る。いくつかの配置では、摩擦係数が０．００１から０．３の間にあるようにおよび／または０．１５を下回るように、スライド層またはスライド促進体を構成することが望ましい可能性がある。
【００５７】
図１の描写において、１つまたは複数の接続部材５が、ヘルメット１の縁部部分の中に配置され得り、１つまたは複数の接続部材５は、外側シェル２および内側シェル３を相互接続している。いくつかの配置では、コネクターは、エネルギーを吸収することによって、外側シェル２と内側シェル３との間の相互の変位に対抗することが可能である。しかし、これは、必須ではない。さらに、この特徴が存在している場合でも、吸収されるエネルギーの量は、通常、衝撃の間に内側シェル３によって吸収されるエネルギーと比較して最小になっている。他の配置では、接続部材５は、全く存在していなくてもよい。
【００５８】
さらに、これらの接続部材５の場所は、変化させられ得る（たとえば、縁部部分から離れるように位置決めされており、また、スライド層４を通して外側シェル２および内側シェル３を接続している）。
【００５９】
外側シェル２は、好ましくは、さまざまなタイプの衝撃に耐えるために、比較的に薄くて強くなっている。外側シェル２は、たとえば、ポリカーボネート（ＰＣ）、ポリ塩化ビニル（ＰＶＣ）、またはアクリロニトリルブタジエンスチレン（ＡＢＳ）などのような、ポリマー材料から作製され得る。有利には、ポリマー材料は、ガラス繊維、アラミド、Ｔｗａｒｏｎ、炭素繊維、またはＫｅｖｌａｒなどのような、材料を使用して、繊維強化され得る。
【００６０】
内側シェル３は、かなり厚くなっており、エネルギー吸収層として作用する。そうであるので、それは、頭部に対する衝撃を減衰または吸収することができる。それは、有利には、発泡ポリスチレン（ＥＰＳ）、発泡ポリプロピレン（ＥＰＰ）、発泡ポリウレタン（ＥＰＵ）、ビニールニトリルフォームのようなフォーム材料；または、たとえば、ハニカム状の構造体を形成する他の材料；または、ブランド名Ｐｏｒｏｎ（商標）およびＤ３Ｏ（商標）の下で市販されているような、歪み速度感受性フォームから作製され得る。構築体は、たとえば、異なる材料の複数の層を伴って、異なる方式で変化させられ得り、それは、下記に出現する。
【００６１】
内側シェル３は、衝撃のエネルギーを吸収するために設計されている。ヘルメット１の他のエレメントは、限られた範囲内でそのエネルギーを吸収することとなるが（たとえば、硬質の外側シェル２、または、いわゆる、内側シェル３の中に設けられる「コンフォート・パッディング」）、それは、それらの主要な目的ではなく、エネルギー吸収へのそれらの貢献は、内側シェル３のエネルギー吸収と比較して最小である。実際に、コンフォート・パッディングなどのようないくつかの他のエレメントが、「圧縮可能な」材料から作製され得り、そうであるので、他の文脈において「エネルギーを吸収するもの」として考えられ得るが、ヘルメットの分野において、圧縮可能な材料は、必ずしも、ヘルメットの着用者への損傷を低減させる目的のために、衝撃の間にエネルギーの意味のある量を吸収する意味の「エネルギーを吸収するもの」ではないということがよく認識されている。
【００６２】
複数の異なる材料および実施形態が、スライド層４またはスライド促進体、たとえば、油、テフロン、マイクロスフェア、空気、ゴム、ポリカーボネート（ＰＣ）、フェルトなどのようなファブリック材料などとして使用され得る。そのような層は、０．１〜５ｍｍの厚さを有することが可能であるが、選択される材料および望まれる性能に応じて、他の厚さも使用され得る。また、スライド層の数およびそれらの位置決めが変化させられ得り、この例は、（図３Ｂを参照して）下記に議論されている。
【００６３】
接続部材５として、たとえば、プラスチックまたは金属の変形可能なストリップが使用され得り、それらは、適切な様式で、外側シェルおよび内側シェルの中にアンカー固定される。
【００６４】
図２は、保護ヘルメット１の機能的な原理を示しており、そこでは、ヘルメット１および着用者の頭蓋骨１０は、半円筒形状であると仮定されており、頭蓋骨１０は、長手方向軸線１１の上に装着された状態になっている。捩じり力およびトルクは、ヘルメット１が斜めの衝撃Ｋを受けるときに、頭蓋骨１０に伝達される。衝撃力Ｋは、保護ヘルメット１に対して、接線方向力ＫＴおよび半径方向力ＫＲの両方を生じさせる。この特定の文脈において、ヘルメットを回転させる接線方向力ＫＴおよびその効果だけが関心のものである。
【００６５】
見られ得るように、力Ｋは、内側シェル３に対する外側シェル２の変位１２を生じさせ、接続部材５は変形させられている。頭蓋骨１０に伝達される捩じり力のおおよそ２５％の低減が、そのような配置によって取得され得る。これは、内側シェル３と外側シェル２との間のスライド運動の結果であり、半径方向の加速度へと伝送されるエネルギーの量を低減させる。
【００６６】
また、スライド運動は、保護ヘルメット１の円周方向に起こることも可能であるが、これは示されていない。これは、外側シェル２と内側シェル３との間の円周方向の角度回転の結果としてのものである可能性がある（すなわち、衝撃の間に、外側シェル２は、内側シェル３に対して所定の円周方向の角度だけ回転させられ得る）。
【００６７】
また、保護ヘルメット１の他の配置も可能である。いくつかの可能な変形例が、図３に示されている。図３ａでは、内側シェル３は、相対的に薄い外側層３’’および相対的に厚い内側層３’から構築される。外側層３’’は、好ましくは、内側層３’よりも硬質になっており、外側シェル２に対するスライドを促進させることを助ける。図３ｂでは、内側シェル３は、図３ａのものと同じ様式で構築される。しかし、このケースでは、２つのスライド層４が存在しており、２つのスライド層４の間に、中間シェル６が存在している。２つのスライド層４は、そのように望まれる場合には、異なって具現化され得り、異なる材料から作製され得る。１つの可能性は、たとえば、内側スライド層においてよりも、外側スライド層において、より低い摩擦を有するということである。図３ｃでは、外側シェル２は、以前のものとは異なって具現化されている。このケースでは、より硬質の外側層２’’が、より軟質の内側層２’をカバーしている。内側層２’は、たとえば、内側シェル３と同じ材料であることが可能である。
【００６８】
図４は、ＷＯ２０１１／１３９２２４に議論されている種類の第２のヘルメット１を示しており、それは、また、斜めの衝撃に対する保護を提供することを意図している。また、このタイプのヘルメットは、上記に議論されているヘルメットのタイプのいずれかであることが可能である。
【００６９】
図４では、ヘルメット１は、図１のヘルメットの内側シェル３と同様のエネルギー吸収層３を含む。エネルギー吸収層３の外側表面は、エネルギー吸収層３と同じ材料から提供され得り（すなわち、追加的な外側シェルは存在しなくてもよい）、または、外側表面は、図１に示されているヘルメットの外側シェル２と同等のリジッド・シェル２（図５を参照）であることが可能である。そのケースでは、リジッド・シェル２は、エネルギー吸収層３とは異なる材料から作製され得る。図４のヘルメット１は、複数のベント７を有しており、複数のベント７は、随意的なものであり、エネルギー吸収層３および外側シェル２の両方を通って延在しており、それによって、ヘルメット１を通る空気フローを可能にする。
【００７０】
取り付けデバイス１３が、着用者の頭部へのヘルメット１の取り付けのために設けられている。先に議論されているように、これは、エネルギー吸収層３およびリジッド・シェル２のサイズが調節されることができないときに望ましい可能性がある。その理由は、それが、取り付けデバイス１３のサイズを調節することによって、異なるサイズ頭部が収容されることを可能にするからである。取り付けデバイス１３は、弾性的なまたは半弾性的なポリマー材料、たとえば、ＰＣ、ＡＢＳ、ＰＶＣ、またはＰＴＦＥなど、または、綿布などのような天然繊維材料から作製され得る。たとえば、テキスタイルのキャップまたはネットが、取り付けデバイス１３を形成することが可能である。
【００７１】
取り付けデバイス１３が、前方側、後方側、左側、および右側から延在するさらなるストラップ部分を備えた頭部バンド部分を含むものとして示されているが、取り付けデバイス１３の特定の構成は、ヘルメットの構成にしたがって変化することが可能である。いくつかのケースでは、取り付けデバイスは、むしろ、連続的な（形状の）シートのようになっていることが可能であり、恐らく、孔またはギャップ（たとえば、ベント７の位置に対応している）を備えており、ヘルメットを通る空気フローを可能にする。
【００７２】
また、図４は、特定の着用者のための取り付けデバイス１３の頭部バンドの直径を調節するための随意的な調節デバイス６を示している。他の配置では、頭部バンドは、弾性的な頭部バンドであることが可能であり、そのケースでは、調節デバイス６は除外され得る。
【００７３】
スライド促進体４は、エネルギー吸収層３の半径方向内向きに提供されている。スライド促進体４は、エネルギー吸収層に対抗して、または、ヘルメットを着用者の頭部に取り付けるために提供されている取り付けデバイス１３に対抗して、スライドするように適合されている。
【００７４】
スライド促進体４は、上記に議論されているものと同じ様式で、取り付けデバイス１３に対してエネルギー吸収層３がスライドすることを支援するために提供されている。スライド促進体４は、低い摩擦係数を有する材料であることが可能であり、または、そのような材料によってコーティングされ得る。
【００７５】
そうであるので、図４のヘルメットにおいて、スライド促進体は、取り付けデバイス１３に面するエネルギー吸収層３の最も内側の側面の上に提供され得り、または、それと一体化され得る。
【００７６】
しかし、スライド促進体４は、エネルギー吸収層３と取り付けデバイス１３との間のスライド可能性を提供する同じ目的のために、取り付けデバイス１３の外側表面の上に提供され得り、または、それと一体化され得るということが等しく考えられ得る。すなわち、特定の配置では、取り付けデバイス１３自身は、スライド促進体４として作用するように適合され得り、また、低摩擦材料を含むことが可能である。
【００７７】
換言すれば、スライド促進体４は、エネルギー吸収層３の半径方向内向きに提供されている。また、スライド促進体は、取り付けデバイス１３の半径方向外向きに提供され得る。
【００７８】
取り付けデバイス１３がキャップまたはネット（上記に議論されているように）として形成されているときには、スライド促進体４は、低摩擦材料のパッチとして提供され得る。
【００７９】
低摩擦材料は、ワキシー・ポリマー、たとえば、ΡＴＦΕ、ＡＢＳ、ＰＶＣ、ＰＣ、ナイロン、ＰＦＡ、ＥΕΡ、ＰＥ、およびＵＨＭＷＰＥなど、または、潤滑剤を注入され得る粉末材料であることが可能である。低摩擦材料は、ファブリック材料であることが可能である。議論されているように、この低摩擦材料は、スライド促進体およびエネルギー吸収層のいずれか一方または両方に適用され得る。
【００８０】
取り付けデバイス１３は、図４の中の４つの固定部材５ａ、５ｂ、５ｃ、および５ｄなどのような、固定部材５によって、エネルギー吸収層３および／または外側シェル２に固定され得る。これらは、弾性的な、半弾性的な、または塑性的な方式で変形することによって、エネルギーを吸収するように適合され得る。しかし、これは、必須ではない。さらに、この特徴が存在している場合でも、吸収されるエネルギーの量は、通常、衝撃の間にエネルギー吸収層３によって吸収されるエネルギーと比較して最小になっている。
【００８１】
図４に示されている実施形態によれば、４つの固定部材５ａ、５ｂ、５ｃ、および５ｄは、第１および第２の部分８、９を有するサスペンション部材５ａ、５ｂ、５ｃ、５ｄであり、サスペンション部材５ａ、５ｂ、５ｃ、５ｄの第１の部分８は、取り付けデバイス１３に固定されるように適合されており、サスペンション部材５ａ、５ｂ、５ｃ、５ｄの第２の部分９は、エネルギー吸収層３に固定されるように適合されている。
【００８２】
図５は、着用者の頭部の上に設置されているときの、図４の中のヘルメットと同様のヘルメットの実施形態を示している。図５のヘルメット１は、エネルギー吸収層３とは異なる材料から作製された硬質の外側シェル２を含む。図４とは対照的に、図５では、取り付けデバイス１３は、２つの固定部材５ａ、５ｂによってエネルギー吸収層３に固定されており、２つの固定部材５ａ、５ｂは、弾性的に、半弾性的に、または塑性的に、エネルギーおよび力を吸収するように適合されている。
【００８３】
ヘルメットに対する回転力を生成させる前方斜めの衝撃Ｉが、図５に示されている。斜めの衝撃Ｉは、エネルギー吸収層３が取り付けデバイス１３に対してスライドすることを引き起こす。取り付けデバイス１３は、固定部材５ａ、５ｂによってエネルギー吸収層３に固定されている。明確化のために、２つだけのそのような固定部材が示されているが、実際には、多くのそのような固定部材が存在していることが可能である。固定部材５は、弾性的にまたは半弾性的に変形することによって、回転力を吸収することが可能である。他の配置では、変形は、塑性的であることも可能であり、さらには、固定部材５のうちの１つまたは複数の切断を結果として生じさせることも可能である。塑性的な変形のケースでは、少なくとも固定部材５は、衝撃の後に交換される必要があることとなる。いくつかのケースでは、固定部材５の中の塑性的な変形および弾性的な変形の組み合わせが起こることが可能であり、すなわち、いくつかの固定部材５は破断し、エネルギーを塑性的に吸収し、一方、他の固定部材は弾性的に変形し、力を吸収する。
【００８４】
一般的に、図４および図５のヘルメットにおいて、衝撃の間に、エネルギー吸収層３は、図１のヘルメットの内側シェルと同じ方式で、圧縮することによって、衝撃吸収体として作用する。外側シェル２が使用されている場合には、それは、エネルギー吸収層３にわたって衝撃エネルギーを広げることを助けることとなる。また、スライド促進体４は、取り付けデバイスとエネルギー吸収層との間のスライドを可能にすることとなる。これは、そうでなければ回転エネルギーとして脳に伝達されることとなるエネルギーを消散させるための制御された方式を可能にする。エネルギーは、摩擦熱、エネルギー吸収層変形、または、固定部材の変形もしくは変位によって、消散され得る。低減されたエネルギー伝達は、脳に影響を与える回転加速度の低減を結果として生じさせ、したがって、頭蓋骨の中の脳の回転を低減させる。ＭＴＢＩおよびＳＴＢＩ、たとえば、硬膜下血腫など、ＳＤＨ、血管破裂、脳震とう、およびＤＡＩを含む、回転傷害のリスクが、それによって低減される。
【００８５】
装置の２つのパーツを接続するための本発明のコネクターが、下記に説明されている。これらのコネクターは、さまざまな文脈の中で使用され得り、ヘルメットの中での使用に限定されるべきではないということが認識されるべきである。たとえば、それらは、スポーツ機器のための胴体防護具またはパッディングなどのような、衝撃保護を提供する他のデバイスの中で使用され得る。ヘルメットの文脈において、本発明のコネクターは、とりわけ、上記に議論されている配置の以前から知られている接続部材および／または固定部材の代わりに使用され得る。
【００８６】
本発明のある実施形態では、コネクターは、図６に示されているタイプのヘルメット１によって使用され得る。図６に示されているヘルメットは、図４および図５に関して上記に議論されているものと同様の構成を有している。とりわけ、ヘルメットは、比較的に硬質の外側シェル２およびエネルギー吸収層３を有している。頭部取り付けデバイスは、ヘルメット・ライナー１５の形態で提供されている。ライナー１５は、上記に議論されているように、コンフォート・パッディングを含むことが可能である。一般的に、ライナー１５および／または任意のコンフォート・パッディングは、エネルギー吸収層３によって吸収されるエネルギーと比較して、有意の割合の衝撃のエネルギーを吸収しなくてもよい。
【００８７】
ライナー１５は、除去可能であり得る。これは、ライナーがクリーニングされることを可能にすることができ、および／または、特定の着用者にフィットするように修正されるライナーの提供を可能にすることができる。
【００８８】
ライナー１５とエネルギー吸収層３との間に、相対的に硬質の材料、すなわち、エネルギー吸収層３よりも硬質の材料から形成された内側シェル１４が提供されている。内側シェル１４は、エネルギー吸収層３にモールドされ得り、また、外側シェル２の形成に関連して上記に議論されている材料のいずれかから作製され得る。
【００８９】
図６の配置において、低摩擦インターフェースが、内側シェル１４とライナー１５との間に提供されている。これは、ライナー１５の外側表面を形成するために使用される材料、または、内側シェル１４を形成するために使用される材料のうちの少なくとも１つの適当な選択される実装され得る。代替的にまたは追加的に、低摩擦コーティングが、内側シェル１４およびライナー１５の対向する表面のうちの少なくとも１つに適用され得る。代替的にまたは追加的に、潤滑剤が、内側シェル１４およびライナー１５の対向する表面のうちの少なくとも１つに適用され得る。
【００９０】
示されているように、ライナー１５は、さらに詳細に下記に議論されている本発明の１つまたは複数のコネクター２０によって、ヘルメット１の残りの部分に接続され得る。コネクター２０の場所の選択、および、使用するべきコネクター２０の数は、ヘルメットの残りの部分の構成に依存することが可能である。したがって、本発明は、図６に示されている構成に限定されない。
【００９１】
図６に示されているものなどのような配置において、少なくとも１つのコネクター２０は、内側シェル１４に接続され得る。代替的にまたは追加的に、コネクター２０のうちの１つまたは複数は、ヘルメット１の残りの部分の別のパーツ、たとえば、エネルギー吸収層３および／または外側シェル２などに接続され得る。また、コネクター２０は、ヘルメット１の残りの部分の２つ以上のパーツに接続され得る。
【００９２】
図７は、本発明のコネクター２０を使用するヘルメット１のさらなる代替的な配置を示している。示されているように、この配置のヘルメット１は、コンフォート・パッディング１６の複数の独立したセクションを含む。コンフォート・パッディング１６のそれぞれのセクションは、本発明による１つまたは複数のコネクター２０によって、ヘルメットの残りの部分に接続され得る。
【００９３】
コンフォート・パッディング１６のセクションは、コンフォート・パッディング１６のセクションとヘルメット１の残りの部分との間に提供されるスライド・インターフェースを有することが可能である。そのような配置では、コンフォート・パッディング１６のセクションは、図６に示されている配置のライナー１５のものと同様の機能を提供することが可能である。ライナーとヘルメットとの間にスライド・インターフェースを提供するための上記に議論されているオプションは、また、コンフォート・パッディングのセクションとヘルメットとの間のスライド・インターフェースに適用する。
【００９４】
また、図７の配置、すなわち、コンフォート・パッディング１６のセクションとヘルメットの残りの部分との間のスライド・インターフェースを提供された、コンフォート・パッディング１６の複数の独立して装着されたセクションを提供することは、任意の形態のヘルメット（ヘルメットの２つの他のパーツの間に提供されるスライド・インターフェースも有する、図１から図５に示されているようなものなどを含む）と組み合わせられ得るということが認識されるべきである。
【００９５】
ここで、本発明によるコネクター２０が説明されることとなる。便宜上、コネクター２０は、図６に示されているような、ライナー１５をヘルメット１の残りの部分に接続するためのコネクターの文脈において説明されることとなる。しかし、本発明のコネクター２０は、装置の任意の２つのパーツを一緒に接続するために使用され得るということが認識されるべきである。そのうえ、下記において、コネクター２０が、装置の第１のパーツ（たとえば、ヘルメット・ライナー１５など）に接続されている第１のコンポーネントと、装置の第２のパーツ（たとえば、ヘルメット１の残りの部分など）に接続されている第２のコンポーネントとを有するものとして説明されている場合には、適切な修正によって、これは、逆にされ得るということが認識されるべきである。
【００９６】
図８および図９は、内側シェル１４がライナー１５（図８）またはコンフォート・パッディング１６（図９）に適用されているということを除いて、図６および図７のものと同等の実施形態を示している。図９のケースにおいて、内側シェル１４は、図６から図８の実質的に完全なシェル配置と比較して、単に、部分的なシェルまたは複数のセクションのシェルであることが可能である。実際に、図８および図９の両方において、内側シェル１４は、また、ライナー１５またはコンフォート・パッディング１６の上の相対的に硬質のコーティングとして特徴付けられることも可能である。図６および図７に関して、内側シェル１４は、相対的に硬質の材料、すなわち、エネルギー吸収層３よりも硬質の材料から形成されている。たとえば、材料は、ΡＴＦΕ、ＡＢＳ、ＰＶＣ、ＰＣ、ナイロン、ＰＦＡ、ＥΕΡ、ＰＥ、およびＵＨＭＷＰＥであることが可能である。材料は、製造プロセスを簡単化するために、ライナー１５またはコンフォート・パッディング１６の外側に結合され得る。そのような結合は、たとえば、接着剤によって、または、高周波溶接によってなど、任意の手段を通して行われ得る。
【００９７】
図８および図９では、低摩擦インターフェースが、内側シェル１４とエネルギー吸収層３との間に提供されている。これは、エネルギー吸収層３の外側表面を形成するために使用される材料、または、内側シェル１４を形成するために使用される材料のうちの少なくとも１つの適当な選択によって実装され得る。代替的にまたは追加的に、低摩擦コーティングが、内側シェル１４およびエネルギー吸収層３の対向する表面のうちの少なくとも１つに適用され得る。代替的にまたは追加的に、潤滑剤が、内側シェル１４およびエネルギー吸収層３の対向する表面のうちの少なくとも１つに適用され得る。
【００９８】
図８および図９では、少なくとも１つのコネクター２０は、内側シェル１４に接続され得る。代替的にまたは追加的に、コネクター２０のうちの１つまたは複数は、ライナー１５またはコンフォート・パッディング１６の残りの部分の別のパーツに接続され得る。
【００９９】
図１０、図１１、および１２は、それぞれ、ヘルメットなどのような装置の第１および第２のパーツを接続するために使用され得る、本発明によるコネクター２０の第１の実施形態の上面図、底面図、および側面図を（図１０の中の点線を通る）断面で示している。とりわけ、それは、ライナー１５またはコンフォート・パッディング１６をヘルメットの残りの部分に接続するように構成され得る。
【０１００】
図１０に示されている配置では、コネクター２０は、内側領域２１と２つのアーム２２とを含み、２つのアーム２２は、内側領域２１の縁部から（たとえば、外向きに）延在している。図１０および図１１に示されている配置では、内側領域２１は、上方から見たときに形状が実質的に円形になっている。しかし、内側領域２１は、この形状に限定されない。たとえば、実質的に正方形または実質的に長方形（鋭い角部または丸みを帯びた角部を備える）、実質的に楕円形または実質的に長円形など、任意の形状が使用され得る。
【０１０１】
内側領域２１は、その第１の側に、アンカー・ポイント２３（「第１の」アンカー・ポイントと称される）を含み、アンカー・ポイント２３は、コネクター２０を装置の第１のパーツに接続するように構成されている。第１のアンカー・ポイント２３は、図１０において、ポイントの形態で示されており、そのポイントにおいて、面ファスナー・コネクターの一方の側が取り付けられている（他方の側は、装置の第１のパーツ、たとえば、ヘルメットの上にある）。しかし、「取り外し可能な」取り付けの他の方法が使用され得り、それは、たとえば、スナップ・フィット接続または磁気的なコネクターなどである。また、取り外し可能な接続の他の形態も使用され得る。
【０１０２】
代替的に、第１のアンカー・ポイント２３は、恒久的な取り付けのために使用され得る。たとえば、第１のアンカー・ポイント２３は、ポイントの形態になっていることが可能であり、そのポイントにおいて、内側領域２１が高周波溶接によって装置の第１のパーツに取り付けられている。しかし、「恒久的な」または解除不可能な取り付けの他の方法が使用され得り、それは、たとえば、接着剤または刺繍を使用することなどである。
【０１０３】
取り付けのいずれかのタイプ（取り外し可能な取り付けまたは恒久的な取り付け）は、接続されているパーツに対する第１のアンカー・ポイント２３の並進移動をそれが防止するように構成され得る。しかし、それは、第１のアンカー・ポイント２３、ひいては、内側領域２１が、接続されているパーツに対して１つまたは複数の回転軸線の周りに回転することができるように構成され得る。代替的にまたは追加的に、第１のアンカー・ポイント２３は、１つまたは複数の追加的なコンポーネントによって、接続されるべきパーツに接続され得る。
【０１０４】
平面図において見られるときに、第１のアンカー・ポイント２３は、内側領域２１の実質的に中心に配置され得る。しかし、本発明は、特定の構成に限定されない。
【０１０５】
内側領域２１は、その第２の側に（第１の側の反対側に）スライド表面２４ａをさらに含み、スライド表面２４ａは、内側領域２１と装置の第２のパーツの対向する表面との間に低摩擦インターフェースを提供するように構成されている。
【０１０６】
図１３は、例を示しており、その例では、コンフォート・パッディング１６の層が、図１０から図１２に示されている複数のコネクター２０を含む。図１３に示されている配置において、コネクター２０のスライド表面２４ａは、第２のパーツ（このケースでは、コンフォート・パッディング層１６）の表面に隣接して提供されており、スライド表面２４ａがコンフォート・パッディング層１６の表面の上をスライドすることができるようになっている（たとえば、内側領域２１の中立の位置に対して並進方向におよび／または回転方向に）。
【０１０７】
スライド表面２４ａが装置の第２のパーツの表面に対してスライドすることができることを保証するために、低摩擦インターフェースが、スライド表面２４ａおよび装置の第２のパーツの対向する表面の間に提供され得る。
【０１０８】
この文脈において、低摩擦インターフェースは、使用時に予期され得るローディングの下であってもスライド接触が依然として可能であるように構成され得る。たとえば、ヘルメットの文脈において、ヘルメットの着用者に関して生存可能であることが予期される衝撃の場合に、スライドが維持されることが望ましい可能性がある。これは、たとえば、２つの表面の間のインターフェースの提供によって提供され得り、そこにおいて、摩擦係数は、０．００１から０．３の間にあり、および／または、０．１５を下回っている。
【０１０９】
本発明において、低摩擦インターフェースは、スライド表面および装置の第２のパーツの表面の対向する表面のうちの少なくとも１つを形成するエレメントの構築のために少なくとも１つの低摩擦材料を使用すること、対向する表面のうちの少なくとも１つに低摩擦コーティングを適用すること、対向する表面のうちの少なくとも１つに潤滑剤を適用すること、および、少なくとも１つの低摩擦表面を有する対向する表面の間に、固定されていない追加的な材料の層を提供することのうちの少なくとも１つによって実装され得る。
【０１１０】
図１０から図１２に示されている配置において、内側領域２１は、アーム２２と一体的に形成された変形可能な材料の一部分と、変形可能な材料と比較して相対的に硬い材料のプレート２４とを含む。プレート２４は、十分に硬い材料から形成され得り、プレート２４（ひいては、内側領域２１の少なくとも一部）が装置の予期される使用の間にその形状を実質的に保つようになっている。ヘルメットの文脈において、これは、ヘルメットの通常の取り扱い、および、通常の条件の下でヘルメットを着用することを含むことが可能である。また、それは、ヘルメットの上の所定の衝撃を含む条件を含むことも可能であり、その所定の衝撃に関して、ヘルメットは、衝撃がヘルメットの着用者にとって生存可能なものになることとなるということを期待して設計されている。
【０１１１】
プレート２４は、さまざまな異なる材料から作製され得る。例では、プレート２４は、ポリカーボネート（ＰＣ）、ポリ塩化ビニル（ＰＶＣ）、アクリロニトリルブタジエンスチレン（ＡＢＳ）、ポリプロピレン（ＰＰ）、ナイロン、または別のプラスチックから作製され得る。プレートは、随意的に、おおよそ０．２ｍｍからおおよそ１．５ｍｍの範囲にある厚さ、たとえば、おおよそ０．７ｍｍ厚さを有することが可能である。
【０１１２】
プレート２４は、平面図において見たときに、内側領域と実質的に同じ形状になっていることが可能である。内側領域２１の変形可能な材料は、一方の側でプレート２４を部分的にカバーすることが可能である。図１０から図１２に示されている配置において、内側領域２１の変形可能な材料は、円形のプレート２４の周辺部の一方の側面をカバーするためにリング形状（環状）になっている。リング形状は、変形可能な材料の中に円形の貫通孔を画定している。この貫通孔は、図１２に示されているように、アンカー・ポイント２３がプレート２４に直接的に接続されることを可能にする。
【０１１３】
しかし、他の配置も可能である可能性がある。たとえば、変形可能な材料は、プレート２４の一方の側面を完全にカバーすることが可能であり（すなわち、貫通孔が設けられていない）、そのケースでは、アンカー・ポイント２３は、変形可能な材料に接続され得る。さらに、内側領域２１の変形可能な材料は、プレート２４の２つの対向する側面を少なくとも部分的にカバーすることが可能である。
【０１１４】
プレート２４は、たとえば、接着剤によって、変形可能な材料に固定され得る。代替的に、プレート２４は、内側領域２１が、変形可能な材料とともにコ−モールドされ得る。しかし、いくつかの配置では、プレート２４は、変形可能な材料に固定されていなくてもよい。たとえば、図１２を参照すると、アンカー・ポイント２３は、変形可能な材料の中の貫通孔よりも幅広くなっており（または、貫通孔よりも幅広い第２のプレートの上に提供されている）、プレート２４に対して変形可能な材料の他方の側に位置付けされ得る。アンカー・ポイント２３およびプレート２４は、貫通孔を介して接続され得り、それらの間に変形可能な材料を挟むようになっている。
【０１１５】
コネクター２０のアーム２２は、変形可能な材料から形成されており、コネクター２０を装置の第２のパーツに接続するように構成されている。図１０から図１２の配置において、アーム２２は、内側領域２１の相互に反対側から延在している。しかし、その代わりに、他の配置も可能である。さらに、コネクター２０は、２つのアーム２２を有することに限定されない。たとえば、３つ、４つ、またはそれ以上のアーム２２が提供され得る。アームは、（たとえば、内側領域２１の縁部の周りに規則的な間隔で、）たとえば対称的に配置され得る。
【０１１６】
図１０から図１２に示されているように、それぞれのアーム２２は、内側領域２１のスライド表面２４ａに対して実質的に平行の方向に延在することが可能である。しかし、他の配置も可能である可能性がある。たとえば、アーム２２は、内側領域２１のスライド表面２４ａに対して所定の角度で延在することが可能である。そのケースでは、アーム２２は、内側領域２１から、アンカー・ポイント２３が提供されているコネクター２０の側面に向けて、または、スライド表面２４ａが提供されているコネクター２０の側面に向けて延在することが可能である。
【０１１７】
図１０から図１２に示されている配置において、それぞれのアーム２２は、アーム２２を装置の第２のパーツに接続するためのアンカー・ポイント２５（内側領域２１の第１のアンカー・ポイント２３と区別するために、「第２の」アンカー・ポイントと称される）をさらに含むことが可能である。第２のアンカー・ポイント２５は、図１１に示されているように、それぞれのアーム２２の遠位端部に位置付けされ得る。
【０１１８】
第２のアンカー・ポイント２５は、恒久的な取り付けのために使用され得る。たとえば、アンカー・ポイント２５は、ポイントの形態になっていることが可能であり、そのポイントにおいて、アーム２２が接着剤によって装置の第１のパーツに取り付けられている。アーム２２は、溝部またはリッジ部を含むことが可能であり、溝部またはリッジ部は、アーム２２の延在方向に対して実質的に垂直に走っており、接着剤がアーム２２の遠位端部から内側領域に向けて広がることを防止するためにバリアを提供している。「恒久的な」取り付けまたは解除不可能な取り付けの他の方法が代替的に使用され得り、それは、たとえば、高周波溶接または刺繍を使用することなどである。
【０１１９】
代替的に、第２のアンカー・ポイント２５は、取り外し可能なアンカー・ポイントの形態になっていることが可能であり、たとえば、面ファスナー・コネクターの一方の側面が取り付けられるポイントの形態になっていることが可能である（他方の側面は、装置の第２のパーツの上にある）。しかし、「取り外し可能な」取り付けの他の方法も使用され得り、それは、たとえば、スナップ・フィット接続または磁気的なコネクターなどである。
【０１２０】
図１３は、図１０から図１２に示されている複数のコネクター２０を含むコンフォート・パッディング層１６を示している。コンフォート・パッディング層１６は平坦になっている（すなわち、紙面の平面の中にある）ものとして示されているが、層１６がヘルメットの残部の中に位置決めされているときには、コンフォート・パッディング層１６は、ヘルメットの残部の内側表面の凹形形状に一致するように曲がっている。
【０１２１】
コネクター２０のアーム２２は、装置の第２のパーツの表面に接続されるように構成されており、内側領域２１のスライド表面とスライド・インターフェースを形成しており、図１３に示されているように、装置の第２のパーツの前記表面に対して実質的に平行になるようになっている。しかし、他の配置も可能である。たとえば、アーム２２は、装置の第２のパーツの一部分に巻き付くように配置され得り、スライド・インターフェースを形成する表面の反対側において、装置の第２のパーツの表面に取り付けられ得る。この配置は、図１７に関係して下記に説明されているものと同様である。
【０１２２】
装置の第２のパーツに取り付けられているときには、アーム２２（変形可能な材料から形成されている）は、内側領域２１を第１の位置に向けて付勢するように構成されており、（たとえば、低摩擦インターフェースに沿ってスライドすることによって）内側領域２１が第１の位置から離れるように変位させられるときに、変形可能な材料のアーム２２が内側領域２１を第１の位置へ戻るように促すようになっている。
【０１２３】
コネクター２０のスライド表面２４ａが、（たとえば、衝撃の間に）装置の第２のパーツの表面の上方をスライドするときに、内側領域２１が、装置の第２のパーツの表面に対して移動し、アーム２２を変形させる。そうであるので、アーム２２は、周囲の装置の第１および第２のパーツ（アーム２２は、アンカー・ポイント２３、２５を介してそれ接続している）に対して、内側領域２１の（中立の）自然なレスト位置を画定している。しかし、内側領域２１の変位の間の変形可能な材料の変形によって、たとえば、変形可能な材料の一方の側の引き伸ばしによって、内側領域２１はスライドすることを許容される。そうする際に、装置の第１のパーツ（たとえば、ヘルメットの残りの部分など）（それは、第１のアンカー・ポイント２３に接続され得る）は、第２のアンカー・ポイント２５に接続されている装置の第１のパーツ（たとえば、ライナー１５など）に対してスライドすることが可能である。
【０１２４】
本発明のコネクター２０は、内側領域２１の所望の相対的な範囲の移動を許容するように構成され得り、したがって、装置の第１のパーツと接続されている装置の第２のパーツとの間のその相対的な範囲の移動を許容するように構成され得る。そのような構成は、アーム２２を形成する材料の選択、アーム２２を形成する材料の厚さ、ならびに、アーム２２の数および場所によって実現され得る。たとえば、ヘルメットの中での使用のためのコネクター２０は、内側領域２１のスライド表面に対して平行な平面の中の任意の方向への、おおよそ５ｍｍ以上の装置の第２のパーツの表面への内側領域２１の相対的な移動を可能にするように構成され得る。
【０１２５】
アーム２２は、装置の第２のパーツに対する内側領域２１の必要とされる範囲の移動のために実質的に弾性的に変形する材料から形成され得る。たとえば、変形可能な材料は、伸縮性のあるファブリック、伸縮性のある布、伸縮性のあるテキスタイル、およびエラストマー材料、たとえば、エラストマー・ポリマー材料、たとえば、シリコーン／ポリシロキサンなどのうちの少なくとも１つから形成され得る。
【０１２６】
変形可能な材料は、たとえば、モールドすることによって、単一のピースとして形成され得り、または、複数のピース（たとえば、上側層および下側層）を一緒に接続することによって形成され得り、その後に、接合され得る。
【０１２７】
図１４、図１５、および図１６は、それぞれ、ヘルメットなどのような装置の第１および第２のパーツを接続するために使用され得る、本発明によるコネクター２０の第２の実施形態の上面図、底面図、および側面図を（図１４の中の点線を通る）断面で示している。とりわけ、それは、ライナー１５またはコンフォート・パッディング１６をヘルメットの残りの部分に接続するように構成され得る。
【０１２８】
図１４に示されている配置では、コネクター２０は、内側領域２１と２つのアーム２２とを含み、２つのアーム２２は、内側領域２１の縁部から外向きに延在している。第２の実施形態の内側領域２１は、図１０から図１２に示されている第１の実施形態の内側領域２１と同一である。しかし、アーム２２は、第１の実施形態のアームとは異なっている。したがって、アーム２２だけが詳細に下記に説明されることとなる。
【０１２９】
以前の実施形態と同様に、コネクター２０のアーム２２変形可能な材料から形成されており、コネクター２０を装置の第２のパーツに接続するように構成されている。図１４から図１６の配置において、アーム２２は、内側領域２１の相互に反対側から延在している。しかし、その代わりに、他の配置も可能である。さらに、コネクター２０は、２つのアーム２２を有することに限定されない。たとえば、３つ、４つ、またはそれ以上のアーム２２が提供され得る。アームは、たとえば、内側領域２１の縁部の周りに規則的な間隔で、たとえば対称的に配置され得る。
【０１３０】
図１４から図１６に示されているように、それぞれのアーム２２は、第１のアンカー・ポイントから離れるように延在し、他方のアーム２２と接合し、第１のアンカー・ポイント２３に対して内側領域２１の反対側に閉じたループを形成している。閉じたループは、装置の第２のパーツの一部分の周りにループするように構成されている。ループは、複数の実質的に真っ直ぐなセクションから形成され得り、それらのセクションは、（たとえば、図１６に示されているように）互いに対して角度を付けられており、および／または、ループは、１つまたは複数の湾曲したセクションから形成され得る。
【０１３１】
図１４から図１６に示されている配置において、アーム２２は、アーム２２を装置の第２のパーツに接続するためのアンカー・ポイント２５（内側領域の第１のアンカー・ポイント２３と区別するために、「第２の」アンカー・ポイントと称される）をさらに含むことが可能である。コネクター２０は、１つだけの第２のアンカー・ポイント２５を有することが可能である。
【０１３２】
第２のアンカー・ポイント２５は、内側領域２１の反対側において内側領域２１に面する場所においてアーム２２によって形成されるループの上に配置され得り、また、スライド・インターフェースを形成する表面の反対側において、装置の第２のパーツの表面に接続するように構成され得る。換言すれば、コネクター２０は、装置の第２のパーツの内側に取り付けられ得り、スライド・インターフェースは、装置の第２のパーツの外側に提供されている。図１５に示されているように、アーム２２は、第２のアンカー・ポイントの場所において比較的に幅の広い部分を含むことが可能であり、より大きいアンカー・ポイント２５を可能にする。この比較的に幅の広い部分は、たとえば、図１５に示されているように、形状が実質的に円形になっていることが可能である。
【０１３３】
第２のアンカー・ポイント２５は、恒久的な取り付けのために使用され得る。たとえば、アンカー・ポイント２５は、ポイントの形態になっていることが可能であり、そのポイントにおいて、アーム２２が接着剤によって装置の第１のパーツに取り付けられている。アーム２２は、溝部またはリッジ部を含むことが可能であり、溝部またはリッジ部は、アーム２２の延在方向に対して実質的に垂直に走っており、接着剤が第２のアンカー・ポイント２５から内側領域２１に向けて広がることを防止するためにバリアを提供している。「恒久的な」取り付けまたは解除不可能な取り付けの他の方法が代替的に使用され得り、それは、たとえば、高周波溶接または刺繍を使用することなどである。
【０１３４】
代替的に、第２のアンカー・ポイント２５は、取り外し可能なアンカー・ポイントの形態になっていることが可能であり、たとえば、面ファスナー・コネクターの一方の側面が取り付けられるポイントの形態になっていることが可能である（他方の側面は、装置の第２のパーツの上にある）。しかし、「取り外し可能な」取り付けの他の方法も使用され得り、それは、たとえば、スナップ・フィット接続または磁気的なコネクターなどである。
【０１３５】
３つ以上のアーム２２を有する例では、アームのそれぞれは、同じポイント（すなわち、第２のアンカー・ポイント２５）において一緒に接合することが可能である。
【０１３６】
図１７は、図１４から図１６に示されている複数のコネクター２０を含むコンフォート・パッディング層１６を示している。コンフォート・パッディング層１６は平坦になっている（すなわち、紙面の平面の中にある）ものとして示されているが、層１６がヘルメットの残部の中に位置決めされているときには、コン層１６は、ヘルメットの残部の内側表面の凹形形状に一致するように曲がっている。
【０１３７】
装置の第２のパーツに取り付けられているときには、アーム２２（変形可能な材料から形成されている）は、内側領域２１を第１の位置に向けて付勢するように構成されており、内側領域２１が（たとえば、低摩擦インターフェースに沿ってスライドすることによって）第１の位置から離れるように変位させられるときに、変形可能な材料のアーム２２が内側領域２１を第１の位置へ戻るように促すようになっている。
【０１３８】
コネクター２０のスライド表面２４ａが、（たとえば、衝撃の間に）装置の第２のパーツの表面の上方をスライドするときに、内側領域２１が、装置の第２のパーツの表面に対して移動し、アーム２２を変形させる。そうであるので、アーム２２は、周囲の装置の第１および第２のパーツ（アーム２２は、アンカー・ポイント２３、２５を介してそれ接続している）に対して、内側領域２１の（中立の）自然なレスト位置を画定している。しかし、内側領域２１の変位の間の変形可能な材料２３の変形によって、たとえば、変形可能な材料の一方の側の引き伸ばしによって、内側領域２１はスライドすることを許容される。そうする際に、装置の第１のパーツ（たとえば、ヘルメットの残りの部分など）（それは、第１のアンカー・ポイント２３に接続され得る）は、第２のアンカー・ポイント２５に接続されている装置の第１のパーツ（たとえば、ライナー１５など）に対してスライドすることが可能である。
【０１３９】
本発明のコネクター２０は、内側領域２１の所望の相対的な範囲の移動を許容するように構成され得り、したがって、装置の第１のパーツと接続されている装置の第２のパーツとの間のその相対的な範囲の移動を許容するように構成され得る。そのような構成は、アーム２２を形成する材料の選択、アーム２２を形成する材料の厚さ、ならびに、アーム２２の数および場所によって実現され得る。たとえば、ヘルメットの中での使用のためのコネクター２０は、内側領域２１のスライド表面に対して平行な平面の中の任意の方向への、おおよそ５ｍｍ以上の装置の第２のパーツの表面への内側領域２１の相対的な移動を可能にするように構成され得る。
【０１４０】
アーム２２は、装置の第２のパーツに対する内側領域２１の必要とされる範囲の移動のために実質的に弾性的に変形する材料から形成され得る。たとえば、変形可能な材料は、伸縮性のあるファブリック、伸縮性のある布、伸縮性のあるテキスタイル、およびエラストマー材料、たとえば、エラストマー・ポリマー材料、たとえば、シリコーン／ポリシロキサンなどのうちの少なくとも１つから形成され得る。
【０１４１】
変形可能な材料は、たとえば、モールドすることによって、単一のピースとして形成され得り、または、複数のピース（たとえば、上側層および下側層）を一緒に接続することによって形成され得り、その後に、接合され得る。
【０１４２】
図１８、図１９、および２０は、それぞれ、ヘルメットなどのような装置の第１および第２のパーツを接続するために使用され得る、本発明によるコネクター２０の第３の実施形態の上面図、底面図、および側面図を（図１８の中の点線を通る）断面で示している。とりわけ、それは、ライナー１５またはコンフォート・パッディング１６をヘルメットの残りの部分に接続するように構成され得る。
【０１４３】
図１８に示されている配置では、コネクター２０は、内側領域２１と２つのアーム２２とを含み、２つのアーム２２は、内側領域２１の縁部から外向きに延在している。第３の実施形態のアーム２２は、図１４から図１６に示されている第２の実施形態のアーム２２と実質的に同じである。第２の実施形態のアーム２１と第３の実施形態のアーム２１との間の僅かな相違が、下記に説明されることとなる。しかし、内側領域２１は、第１および第２の実施形態の内側領域２１とは異なっている。
【０１４４】
図１８および図１９に示されている配置では、内側領域２１は、上方から見たときに形状が実質的に円形になっている。しかし、内側領域２１は、この形状に限定されない。たとえば、実質的に正方形または実質的に長方形（鋭い角部または丸みを帯びた角部を備える）、実質的に楕円形または実質的に長円形など、任意の形状が使用され得る。
【０１４５】
内側領域２１は、その第１の側に第１のアンカー・ポイント２３を含み、第１のアンカー・ポイント２３は、コネクター２０を装置の第１のパーツに接続するように構成されている。第１のアンカー・ポイント２３は、第１および第２の実施形態ならびに図１０から図１２および図１４から図１６に関係して以前に説明されているものと同じである。
【０１４６】
内側領域２１は、その第２の側に（第１の側の反対側に）スライド表面２４ａをさらに含み、スライド表面２４ａは、内側領域２１と装置の第２のパーツの対向する表面との間に低摩擦インターフェースを提供するように構成されている。スライド表面２４ａは、第１および第２の実施形態ならびに図１０から図１２および図１４から図１６に関係して以前に説明されているものと同じである。
【０１４７】
図１８から図２０に示されている配置の内側領域２１は、アーム２２と一体的に形成されている変形可能な材料の一部分を内側領域２１が含まないという点において、図１０から図１２および図１４から図１６に示されている配置の内側領域２１とは異なっている。その代わりに、この実施形態の内側領域２１は、変形可能な材料と比較して相対的に硬い材料のプレート２４を含み、それは、アーム２２に接続されている。
【０１４８】
図１８から図２０に示されている配置において、プレート２４は、内側領域２１の縁部から（プレート２４に対して平行に）延在する突出部２６を含み、プレート２４は、突出部２６を介してアーム２２に接続されている。プレート２４は、その他の点では、以前の実施形態ならびに図１０から図１２および図１４から図１６に関係して説明されているものと同じになっていることが可能である。
【０１４９】
アーム２２の変形可能な材料は、突出部２６の２つの対向する側面を少なくとも部分的にカバーすることが可能である。図１８から図２０に示されている配置において、アーム２２の変形可能な材料は、スロット２７を形成しており、スロット２７は、すべての側面において変形可能な材料によって取り囲まれており、突出部２６がスロット２７の中へ挿入されている。しかし、他の配置も可能である可能性がある。たとえば、アーム２２の変形可能な材料は、一方の側面のみにおいて、突出部２６を少なくとも部分的にカバーすることが可能である。
【０１５０】
突出部２６は、たとえば、図１２に示されているように、接着剤によって、アーム２２の変形可能な材料に固定され得る。代替的に、突出部２６は、アーム２２の変形可能な材料とともにコ−モールドされ得る。図に示されていないさらなる実施形態において、第３の実施形態の内側領域２１は、第１の実施形態のアーム２２と組み合わせられ得り、すなわち、内側領域２１から離れるように延在しているが、閉じたループを形成しないアームと組み合わせられ得る。
【０１５１】
上記に説明されている特定の実施形態のそれぞれにおいて、内側領域は、スライド表面２４ａを提供する比較的に硬いプレート２４を含むが、代替的な配置も可能である。たとえば、スライド表面２４ａは、ファブリック（織布または不織布）の層などのような可撓性の材料によって提供され得る。可撓性の材料は、上記に説明されている実施形態のいずれかの中のプレート２４と（同種交換により）交換され得る。そのような配置では、可撓性の材料は、アーム２２の表面の上に提供されることとはならない。しかし、可撓性の材料は、たとえば、１つの連続的な層として、装置の第２のパーツに面するアーム２２の表面の上に追加的に提供され得る。したがって、スライド・インターフェースは、内側領域２１と装置の第２のパーツの表面との間に提供され得るだけでなく、アーム２２の表面と装置の第２のパーツの表面との間にも提供され得る。
【０１５２】
アームという用語は、その通常の意味に、すなわち、たとえば、より大きい構造体（すなわち、内側領域２１）から突き出るものの形態のアームに匹敵する構造体を意味しているということが理解されるべきである。具体的には、アーム２２は、細長くなっていることが可能であり、すなわち、それらの長さと比較して、幅が相対的に狭くなっていることが可能である。アーム２２の幅方向は、内側領域２１からのアーム２２の延在方向に対して垂直の方向であり、スライド表面２４ａに対して平行の、すなわち、図１０において垂直方向の方向である。
【０１５３】
上記の例のそれぞれにおいて、アーム２２は、図に示されているように、内側領域２１よりも幅が実質的に狭くなっている。したがって、アーム２２は、それらの幅に起因して、内側領域２１からはっきりと区別がつく。いくつかの例では、アーム２２は、依然として内側領域２１からはっきりと区別がつくままの状態で、より幅の広い内側領域２１へと滑らかに移行することが可能であるということが理解されるべきである。
【０１５４】
いくつかの実施形態では、アーム２２は、閉じたループを形成しており、また、２つのアーム２２が依然として内側領域２１から延在しているものとして認識可能であるにもかかわらず、単一のエレメントとしてみなされ得る。これは、変形可能な材料が２つの場所において内側領域２１から突き出ているからである。
【０１５５】
本発明のコネクター２０は、装置の第１および第２のパーツを接続するために、異なるタイプのコネクターと組み合わせて使用され得る。たとえば、コネクター２０は、ＷＯ２０１７／１５７７６５またはＧＢ１７１９５５９．５に説明されているコネクターと組み合わせて使用され得り、それらの文献は、その全体が参照により本明細書に組み込まれている。
【図１】
2021514431.tif 000003
【図２】
2021514431.tif 000004
【図３Ａ】
2021514431.tif 000005
【図３Ｂ】
2021514431.tif 000006
【図３Ｃ】
2021514431.tif 000007
【図４】
2021514431.tif 000008
【図５】
2021514431.tif 000009
【図６】
2021514431.tif 000010
【図７】
2021514431.tif 000011
【図８】
2021514431.tif 000012
【図９】
2021514431.tif 000013
【図１０】
2021514431.tif 000014
【図１１】
2021514431.tif 000015
【図１２】
2021514431.tif 000016
【図１３】
2021514431.tif 000017
【図１４】
2021514431.tif 000018
【図１５】
2021514431.tif 000019
【図１６】
2021514431.tif 000020
【図１７】
2021514431.tif 000021
【図１８】
2021514431.tif 000022
【図１９】
2021514431.tif 000023
【図２０】
2021514431.tif 000024
【国際調査報告】
2021514431.tif 000025
2021514431.tif 000026